(57)【要約】      （修正有）【課題】人手を介した煩雑な作業工程を不要とし、かつ到達する対象となる到着ページ数に関する制約を解消して到着ページの網羅性を高くすることを可能とする到着ページ最適化システム及び到着ページ最適化方法を提供する。【解決手段】導入ウェブサイトのウェブページを取得するウェブページ取得ステップ２０２と、上記取得したウェブページを、形態素解析によってウェブページ毎に解析し、キーワードを抽出するページ解析ステップ２０４と、各ウェブページを最適なキーワードと索引付けし、データベース化を行うインデックスステップ２０６を含むこととした。【選択図】図２
2008130027.tif 000002
【特許請求の範囲】
【請求項１】
導入ウェブサイトのウェブページを取得するウェブページ取得部と、上記取得したウェブページを、形態素解析によってウェブページ毎に解析し、キーワードを抽出するページ解析部と、各ウェブページを最適なキーワードと索引付けし、データベース化を行うインデックス部とを備えることを特徴とする到着ページ最適化システム。
【請求項２】
導入ウェブサイトのウェブページを取得するウェブページ取得ステップと、上記取得したウェブページを、形態素解析によってウェブページ毎に解析し、キーワードを抽出するページ解析ステップと、各ウェブページを最適なキーワードと索引付けし、データベース化を行うインデックスステップとを含むことを特徴とする到着ページ最適化方法。
【発明の詳細な説明】
【技術分野】
【０００１】
本発明は、到着ページ最適化システム及び到着ページ最適化方法に関する。
【背景技術】
【０００２】
ウェブサイト訪問者が最初に訪れるページを、彼又は彼女の関心が高いページにすることによって、離脱率を下げることでサイトのコンバージョン率を高めていく手法を到着ページ最適化（Ｌａｎｄｉｎｇ  Ｐａｇｅ  Ｏｐｔｉｍｉｚａｔｉoｎ）という。
従来、この手法に基づく到着ページ最適化（ＬＰＯ）サービスは、以下の２種類に大別される。
【０００３】
１．固定した到着ページ（１ページの場合が多い）内で広告クリエイティブ枠の表示内容を動的に変化させながらＡ／Ｂテストを行う手法。
２．複数の到着ページを事前に用意して、ウェブサイト訪間者を自動分岐させながらＡ／Ｂテストを行う手法。
【０００４】
上記従来の手法は、両者とも、Ａ／Ｂテストを実行するにあたり、人の手を介した事前準備を必要としていた。したがって、作業が人手を要し、煩雑であった。また、動的表示クリエイティブ数、到達する対象となる到着ページ数等に制限があることが難点であった。
【発明の開示】
【発明が解決しようとする課題】
【０００５】
本発明は、上記事情に鑑みてなされたもので、人手を介した煩雑な作業工程を不要とし、かつ到達する対象となる到着ページ数に関する制約を解消して到着ページの網羅性を高くすることを可能とする到着ページ最適化システム及び到着ページ最適化方法を提供することを目的とする。
【課題を解決するための手段】
【０００６】
上記目的を達成するために、本発明は、到着ページ最適化システムであって、導入ウェブサイトのウェブページを取得するウェブページ取得部と、上記取得したウェブページを、形態素解析によってウェブページ毎に解析し、キーワードを抽出するページ解析部と、各ウェブページを最適なキーワードと索引付けし、データベース化を行うインデックス部とを備えることを特徴とする。本発明に係る到着ページ最適化システムは、その実施の形態で、各ウェブページの上記最適なキーワードに関連する類語キーワードを取得するための類語キーワード取得部をさらに備える。また、本発明に係る到着ページ最適化システムは、その実施の形態で、上記データベースに上記類語キーワードを追加する類語キーワード追加部をさらに備える。なお、類語キーワード取得部は、類語キーワード追加部と一体に構成することもできる。
【０００７】
本発明は、別の側面において、到着ページ最適化方法であって、導入ウェブサイトのウェブページを取得するウェブページ取得ステップと、上記取得したウェブページを、形態素解析によってウェブページ毎に解析し、キーワードを抽出するページ解析ステップと、各ウェブページを最適なキーワードと索引付けし、データベース化を行うインデックスステップとを備えることを特徴とする。本発明に係る到着ページ最適化方法は、その実施の形態で、各ウェブページの上記最適なキーワードに関連する類語キーワードを取得するための類語キーワード取得ステップをさらに含む。また、本発明に係る到着ページ最適化方法は、その実施の形態で、上記データベースに上記類語キーワードを追加する類語キーワード追加ステップをさらに備える。なお、類語キーワード取得ステップと類語キーワード追加ステップとを併せて類語キーワード追加ステップとして実行することもできる。
【０００８】
ここで、本明細書で使用される主だった用語について、説明を加える。
「到着ページ」：  広告やその他のリンクをクリックしてウェブサイトを訪れたウェブサイト訪問者が最初に見るページのことをいう。ウェブサイト訪問者がそのサイトにどれだけ長く滞在するかどうかは、到着ページで彼又は彼女の関心やニーズが言及されていることに依存するので、コンバージョン率向上の観点からは最も重要なページである。
なお、英語では到着ページのことを「Ｌａｎｄｉｎｇ Ｐａｇｅ」と呼称する。「Ｌａｎｄｉｎｇ」とは、上陸や着陸、着地の意であり、到着ページ最適化のことはＬＰＯ（Ｌａｎｄｉｎｇ  Ｐａｇｅ  Ｏｐｔｉｍｉｚａｔｉｎ）と呼ばれることが一般的である。
【０００９】
「コンバージョン率（レート）」：  物品やサービスといった商品を販売するｅコマース（電子商取引）サイトでは、いくら訪問者数が多くても、実際に商品が売れなければ意味がない。訪問者数のうちどの程度が実際に資料請求が行われたり、商品を購入したかを示すのがコンバージョン率である。訪問者が誰も商品を購入しなければ０％、すべての訪問者が商品を購入すれば１００％となる。
ｅコマースサイト運営者の立場としては、単純なサイト訪問者数に対する割合だけでなく、特定の広告をクリックしたウェブサイト訪問者についてコンバージョン率を算出することが広告効果を測定する上で重要である。
【００１０】
「直前ページ」：  ウェブサイト（導入ウェブサイト）に訪問者が訪れる直前に閲覧していたページのことをいう。広告効果を向上させるという到着ページ最適化サービスの性質上、広告を掲載する媒体ウェブサイトである場合が多い。本発明に係る到着ページ最適化システムを使用するウェブサイトと、直前ページとの間にはリンクが存在する。このリンクを活用することも本発明に係る到着ページ最適化システム及び到着ページ最適化システムは、想定している。
【００１１】
「クエリストリング（キーワードクエリトリング）」：  検索ユーザーが入力したキーワードを基に動的因数(パラメータ)としてリファラーに付与する情報をいう。「検索ユーザー」とは、検索エンジンによりキーワードを入力して目標とする到着ページを検索するウェブサイト訪問者のことをいう。「リファラー」とは、アクセスログに記載されている情報のひとつで、当該ファイルを取得する（ブラウザで表示する）直前に閲覧していたページのＵＲＬを内容とする情報である。
例：
http://search.yahoo.co.jp/search?p=%C6%C3%B5%F6%BB%F6%CC%B3%BD%EA&fr=top_v2&tid=top_v2&ei=euc-jp&search.x=1&x=29&y=13
【００１２】
「クローラ（ウェブクローラ）」：  本発明に係る到着ページ最適化システム及び到着ページ最適化システムを使用するウェブサイトにあるウェブページ、リッチメディア、及びドキュメント等を取得するプログラムのことをいう。なお、本明細書中で、本発明に係る到着ページ最適化システム及び到着ページ最適化システムを使用するウェブサイトのことを「導入ウェブサイト」ともいう。
英語の「ｔｏ  ｃｒａｗｌ」(這う)を語源とする。リンクを這うように辿りながらページが存在する場所（ＵＲＬ：Ｕｎｉｆｏｒｍ  Ｒｅｓｏｕｒｃｅ  Ｌｏｃａｔｏｒ）のリストを取得するためのソフトウエアである。
【００１３】
「インデクス」：  ページ情報の索引付けのことをいう。本発明に係る到着ページ最適化システム及び到着ページ最適化システムでは、導入ウェブサイトの既存のウェブページ及びドキュメントファイルを到着ページとして利用するので、各ウェブページを自動的に索引情報としてデータベース化する。インデクスしたデータベースを「到着ページXキーワード索引付けＤＢ（インデクスＤＢ）」という。
【００１４】
「形態素解析」：  言語学においてある言葉が変化・活用しない部分を最小単位の「素」と捉え、その素毎に言葉を分解することをいう。本発明に係る到着ページ最適化システム及び到着ページ最適化システムでは、形態素解析を以下の二通りに活用する。
１．取得した導入ウェブサイトのウェブページを、ウェブページ毎にテキストデータを解析し、キーワードを抽出する。
２．ウェブサイト訪問者のニーズを推測・判定するために、直前ページに記述されているテキストデータを解析しキーワードを切り出す。
【００１５】
「シソーラス」：  任意のキーワードに対して同義語や関連語をグループ分けしたデータベースのことをいう。
シソーラスで、上位語とは、より広い意味の言葉をいう。例えば、「すずめ」に対する「鳥」、「バス」に対する「自動車」等が上位語である。下位語とは、より狭い意味の言葉をいう。例えば、「パソコン」に対する「ノートパソコン」、「バス」に対する「観光バス」等が下位語である。同義語とは、同じような意味の言葉をいう。例えば、「コンピュータ」と「電子計算機」、「自動車」と「オートモービル」等が同義語である。関連語とは、関係する意味の言葉をいう。例えば、「コンピュータ」と「プログラミング」、「自家用車」と「乗用車」等が関連語である。
【発明の効果】
【００１６】
本発明によれば、人手を介した煩雑な作業工程を不要とし、かつ到達する対象となる到着ページ数に関する制約を解消して到着ページの網羅性を高くすることを可能とする到着ページ最適化システム及び到着ページ最適化方法が提供される。
【発明を実施するための最良の形態】
【００１７】
以下に、本発明に係る到着ページ最適化システム及び到着ページ最適化方法について、その実施の形態を参照しながらさらに詳細に説明する。
【００１８】
図１は、本発明に係る到着ページ最適化システムの一実施の形態を含む全体的システム構成を説明する概念図である。本発明に係る到着ページ最適化システムは、一般的に管理サーバ（サーバコンピュータ）上で実現される。図１で、管理サーバ１００には、本発明に係る到着ページ最適化システムの一実施の形態が組み込まれている。この管理サーバ１００は、ネットワークを介して、複数の端末ＰＣ（パーソナル・コンピュータ）１０２と接続している。端末ＰＣのウェブサイト訪問者は、管理サーバ１００を介して、複数の導入ウェブサイト１０４上のウェブページ１０６にアクセスすることができるように構成されている。
【００１９】
なお、管理サーバ１００は、便宜上、単一のものとして表現されている。しかし、その構成ユニットを分散させ、同一場所に設置したもの、異なった場所に分散して設置し、ネットワークを介して連携させるような構成としてもよく、当業者にとって想定される形態は、全て実現可能である。
【００２０】
本発明に係る到着ページ最適化システムは、導入ウェブサイトのウェブページを取得するウェブページ取得部と、形態素解析によって上記取得したウェブページを、ウェブページ毎に解析し、キーワードを抽出するページ解析部と、各ウェブページを最適なキーワードと索引付けし、データベース化を行うインデックス部とを必須の構成要素としている。しかし、図1の実施の形態は、各ウェブページの上記最適なキーワードに関連する類語キーワードを取得し、上記データベースに上記類語キーワードを追加する類語キーワード追加部をさらに備えている。この類語キーワード追加部は、類語キーワード取得部を一体に備えている。
【００２１】
さらに、図２に、本発明に係る到着ページ最適化システムを採用して、本発明に係る到着ページ最適化方法を実施する一形態について、その流れを示す。以下、図２に沿って、説明する。
導入ウェブサイトが指定されると、ウェブページ取得部が、ウェブクローラを巡回させ（ステップ２００）、導入ウェブサイト１０４の全ウェブページのうち到着ページになり得るウェブページ１０６を取得し、管理サーバ１００に取り込む（ステップ２０２）。
【００２２】
次いで、キーワード解析部で、形態素解析を実行し、取得したウェブページを、ウェブページ毎に解析し、キーワードを抽出する。キーワードとしては、名詞を抽出する（ステップ２０４）。
もっとも、本発明に係る到着ページ最適化システム及び到着ページ最適化方法を実施するにあたっては、このような形態に限定されることなく、コンピュータの制約に反しない限り、動詞、形容詞といった他の品詞を抽出するようにすることもできる。
【００２３】
形態素解析を行う際は、具体的に名詞を形態素として切り出すために、単語が属する品詞を収めた辞書を用いる。すなわち、このような辞書は、名詞のリストデータを含み、そのリストデータに存在する単語を名詞として切り出す。また、本キーワード解析部は、形態素解析により、句読点や、実際の語の語形、接辞など、各言語固有の特性に対応した構造も解析する。また、文章の「つながり具合」をモデル化して想定することにより、各品詞の切り出しについてその正確さを高める。
また、一単語毎に区切りながら統計的に品詞を推測する手法も併せて用いられる。
【００２４】
さらに、インデクス部で、各ウェブページを、上記キーワードのうち最適なキーワードと索引付けし、データベース化を行う（ステップ２０６）。すなわち、到着ページXキーワード索引付けＤＢを構築する。なお、最適なキーワードは、複数存在していてもよい。この索引付けは、本発明では、通常、ウェブサイト訪問者のアクセスを反映して行う。すなわち、ステップ２０４を完了した後、ウェブサイト訪問者のアクセスによって、到着ページXキーワード索引付けＤＢが更新されて行く。これについては、後に説明するステップとの関連で後述する。
【００２５】
そして、類語キーワード追加部で、各ウェブページの上記最適なキーワードに関連する類語キーワードを取得し（ステップ２０８）、到着ページXキーワード索引付けＤＢに上記類語キーワードを追加する（ステップ２１０）。上記データベースは、管理サーバ１００と離れてネットワークを介して接続するものであってもよい。
シソーラス・ソフトウエアにより、類語キーワードとして、上位語、下位語、同義語、関連語を取得する。
【００２６】
以上のステップ２００〜２１０を実行することにより、本実施の形態に係る到着ページ最適化システムは、導入ウェブサイト１０４に関し、ウェブサイト訪問者を、最適ウェブページに到着させる状態を維持する。
【００２７】
ここで、さらに、検索エンジンを用いてウェブサイト訪問者（検索ユーザー）が本実施の形態に係る到着ページ最適化システムを介して検索を行う際、管理サーバ１００がどのような手順を実行するかについて説明する。
ＰＣ（パーソナル・コンピュータ）、携帯電話等の端末機器で検索エンジンを用い、検索エンジンにより、ウェブサイト訪問者が任意のキーワードで検索を行う（ステップ２１２）。
【００２８】
クリックした先が導入ウェブサイトである場合、ウェブサイト訪問者は、クエリストリング付きリファラー情報を付帯しながら、本実施の形態に係る到着ページ最適化システムに導かれる(ステップ２１４)。
【００２９】
本到着ページ最適化システムは、クエリストリングに付与されているキーワードと、到着ページXキーワード索引付けＤＢとをマッチングさせてウェブサイト訪問者を該当する最適な到着ページに転送する（ステップ２１６）。
ここで、訪問者がインターネットブラウザのＢａｃｋ（バック）ボタンをクリックするかどうかを待ち受ける状態となる（ステップ２１８）。本到着ページ最適化システム自体の基本動作はこれによって終了する（ステップ２２０）。Ｂａｃｋボタンがクリックされた場合、訪問直前のリファラーＵＲＬに訪問者が転送される(ステップ２２１)。
【００３０】
本到着ページ最適化システムは、ステップ２１６で取得したクエリストリングに付与されているキーワードに関する情報を、後述するステップ２１７を実行することにより蓄積する。すなわち、ステップ２０４で、キーワードが解析されたままの状態では、処理の完了した状態のウェブページは、キーワードが切り出されているだけであり、最適なキーワードがいずれであるかは決定されていない。しかし、キーワード自体は存在している。本到着ページ最適化システムでは、ステップ２０４が完了して間もない間は、導入ウェブサイト内で、クエリストリング中にあるキーワードが存在するウェブページに訪問者をランダムに導く。
【００３１】
導く操作を実行する際、Ａ／Ｂテストを実行する（ステップ２１７）。
このステップ２１７では、ウェブサイト訪間者が当該導入サイトの到着ページを訪問してすぐにサイトから離脱した場合の割合（直帰率）がどの程度低かったか、ウェブサイト訪問者が当該ウェブページにどの程度滞在したか（滞在時間）、コンバージョン率等の到着ページ指標を監視するためにＡ／Ｂテストを実行する。コンバージョン率は、訪問者数のうちどの程度の率で実際に資料請求が行われたか、商品を購入したかを示す割合である。
【００３２】
Ａ／Ｂテストは、到着ページ毎に実施する。なお、到着ページ内で広告クリエイティブ枠の表示内容を動的に変化させながら行う手法も実施することができる。
【００３３】
このステップ２１７においてデータを、初回取得した後も、一定期間毎に取得する。取得したデータを上記したインデックス部に転送し、ウェブページ毎に、到着ページ指標の高いキーワードを選定し、ステップ２０６を実行して到着ページXキーワード索引付けＤＢを構築する。なお、データを初回取得して、到着ページXキーワード索引付けＤＢがいったん構築された後は、前述のステップ２１６を実行して、クエリストリングに付与されているキーワードと、到着ページXキーワード索引付けＤＢとをマッチングさせてウェブサイト訪問者を該当する最適な到着ページに転送する。
【００３４】
上記のような到着ページ指標は、ステップ２１７でＡ／Ｂテストを実行し続けることにより、ウェブページ毎に監視され続け、各ウェブページについて到着ページXキーワード索引付けＤＢが構築・更新され続ける。すなわち、到着ページXキーワード索引付けＤＢを管理する。
【００３５】
上記実施の形態を含む本発明に係る到着ページ最適化システム及び到着ページ最適化方法では、最適なキーワードをさらにシソーラスで類語と結び付けている。したがって、例えば、「自動車」を「オートモービル」と入力しても、導入ウェブサイト内の最適なウェブページにウェブサイト訪問者を到着させることができる。
【００３６】
一方、本発明に係る到着ページ最適化システム及び到着ページ最適化方法は、検索エンジン以外のキーワードクエリストリングを付帯しないウェブサイト訪問者がアクセスした際に、導入ウェブサイト内の最適なウェブページ（到着ページ）に、このようなウェブサイト訪問者を直接転送するように構築することができる。このようなシステム構成は、到着ページに転送するシステム構成と併用して、又は該システム構成を代替して構築することができる。以下、検索エンジン以外からのウェブサイト訪問者を導くシステム（方法）を直前ページ解析型到着ページ最適化システム（方法）という。
【００３７】
直前ページ解析型到着ページ最適化システム及び直前ページ解析型到着ページ最適化方法を図２の実施の形態について説明する。
まず、直前ページとなる広告掲載サイトでウェブサイト訪問者が導入ウェブサイトへのリンクをクリックする（ステップ２２２）。ここで、広告掲載サイトは、導入ウェブサイトであっても、なくてもよい。ウェブサイト訪問者は、広告掲載サイトの直前ページ情報を付帯しながら直前ページ解析型到着ページ最適化システムに転送され、直前ページ情報にキーワードを付与する（ステップ２２４）。
なお、直前ページは、必ずしも広告掲載サイトでなくてもよい。リンク先を備えた他のタイプのウェブサイト上のウェブページであってもよい。
【００３８】
この直前ページ解析型到着ページ最適化システムは、クエリストリングに付与されているキーワードではなく、直前ページ情報に付与されたキーワードと、到着ページxキーワード索引付けＤＢとをマッチングさせてウェブサイト訪問者を該当する最適な到着ページに転送する（ステップ２１６）。ここで、直前ページからのウェブサイト訪問者によるアクセスが初回又は設定した回数内の間は、直前ページにはキーワードが付与されない。キーワードが付与されていない間は、導入ウェブサイトの任意のページに誘導するといったことを行う。
【００３９】
本直前ページ解析型到着ページ最適化システムでは、直前ページからのリファラー情報を利用して広告掲載サイトをクロールし、直前ページのテキストを解析する。そのために、直前ページ解析部を備える。直前ページ解析部は、広告掲載サイトにアクセスする機能も備える。直前ページ解析部は、直前ページのテキストをステップ２０４と同様に形態素解析する。
【００４０】
直前ページ解析型到着ページ最適化システムでは、ステップ２１７で直前ページの持つキーワード毎の直前ページ適正キーワード指標に関するデータを取得する。
すなわち、直前ページのキーワードのうち、候補キーワードを任意に選定し、当該候補キーワードと、到着ページXキーワード索引付けＤＢとをマッチングさせて、ウェブサイト訪問者を到着ページに誘導する（ステップ２１６）。
そして、候補キーワードについてもステップ２１７でＡ／Ｂテストを実施する。候補キーワードに対応する直前ページから到着ページを訪問してすぐにサイトから離脱した場合の割合（直帰率）がどの程度低かったか、ウェブサイト訪問者が当該到着ページにどの程度滞在したか（滞在時間）、コンバージョン率等の到着ページ指標を監視するためにＡ／Ｂテストを実行する。このようにして、候補キーワード毎について直前ページ適正キーワード指標に関するデータが蓄積される。
当該直前ページからのアクセス数が設定回数を越えると、取得したデータをインデックス部に転送し、候補キーワード毎の直前ページ適正キーワード指標に従って、特定のキーワードを選定し、直前ページのために直前ページxキーワード索引付けＤＢを構築する。このような操作をステップ２２６として実行する。直前ページ解析型到着ページ最適化システムで採用するインデクス部は、ステップ２０６で使用されるインデックス部と同一であってもよく、別異に設けることもできる。
【００４１】
いったん、直前ページxキーワード索引付けＤＢが構築された後は、この直前ページxキーワード索引付けＤＢを用いて、直前ページ情報にステップ２２４でキーワードを付与する。そして、前述したように、直前ページ情報に付与されたキーワードと、到着ページxキーワード索引付けＤＢとをマッチングさせてウェブサイト訪問者を該当する最適な到着ページに転送する（ステップ２１６）。
このステップ２２６で構築される直前ページxキーワード索引付けＤＢもシソーラス・ソフトウエアと連携させることができる。これによって、例えば、「自動車」を「オートモービル」と直前ページで表現されていても、導入ウェブサイト内の最適なウェブページにウェブサイト訪問者を到着させることができる。
【００４２】
なお、上記説明した直前ページ解析型到着ページ最適化システム及び直前ページ解析型到着ページ最適化方法は、従来行われていた到着ページ最適化のための手法が行われているシステム又は方法に組み込み、実施することができる。
【００４３】
本発明は、図１及び図２について説明した上記実施の形態に限られるものではなく、以下の形態・側面で捉えられる発明も本発明の技術的範囲に含まれる。
【００４４】
導入ウェブサイトにある最適なウェブページにウェブサイト訪問者を到着させるため各ウェブページの到着ページ指標と、ウェブページ毎の最適なキーワードと、上記最適なキーワードを上記ウェブページとを索引付けるリンクデータとを含んでなる検索用データ。
導入ウェブサイトにある最適なウェブページにウェブサイト訪問者を到着させるため各ウェブページの到着ページ指標と、ウェブページ毎の最適なキーワード及びそれに関連する類語キーワードと、上記最適なキーワード及び類語キーワードを上記ウェブページとを索引付けるリンクデータとを含んでなる検索用データ。
これらの検索データは、Ａ／Ｂテストを実施することによってウェブサイト訪問者の関心事項を推察するとういう点で、検索エンジンの順位確定ロジックに応用することができる。GoogleやYahoo!に代表されるロボット型検索エンジンが事前に検索対象のウェブサイトを順位を確定させているのに対して、本発明を応用した検索エンジンは、検索ユーザーがより多くの頻度で検索することによって検索ユーザーの関心事項に合致し、検索精度が高まることが特徴である。
なお、検索エンジンの順位確定ロジックに応用する際は、複数の到着ページ候補へのリンクに対するクリック率をＡ／Ｂテストの測定指標とすることもできる。
【００４５】
導入ウェブサイトにある最適なウェブページにウェブサイト訪問者を到着させるための管理サーバであって、検索用データを内部に備え、かつ／又は外部の検索用データに接続しており、該検索用データは、導入ウェブサイト内のウェブページの到着ページ指標と、ウェブページ毎の最適なキーワードと、上記最適なキーワードを上記ウェブページとを索引付けるリンクデータとを含んでおり、
（ａ）導入ウェブサイトのウェブページを取得するウェブページ取得部と、
（ｂ）上記取得したウェブページを、形態素解析することによってウェブページ毎に解析し、キーワードを抽出するページ解析部と、
（ｃ）各ウェブページを最適なキーワードと索引付けし、データベース化を行うインデックス部とを備える管理サーバ。
なお、上記インデックス部は、到着ページ指標が所定の値よりも大きいものを優先してリンクするものとすることが好適である。
【００４６】
導入ウェブサイトにある最適なウェブページにウェブサイト訪問者を到着させるための管理サーバであって、検索用データを内部に備え、かつ／又は外部の検索用データに接続しており、該検索用データは、導入ウェブサイト内のウェブページの到着ページ指標と、ウェブページ毎の最適なキーワード及びそれに関連する類語キーワードと、上記最適なキーワード及び類語キーワードを上記ウェブページとを索引付けるリンクデータとを含んでおり、
（ａ）導入ウェブサイトのウェブページを取得するウェブページ取得部と、
（ｂ）上記取得したウェブページを、形態素解析することによってウェブページ毎に解析し、キーワードを抽出するページ解析部と、
（ｃ）各ウェブページを最適なキーワードと索引付けし、データベース化を行うインデックス部と、
（ｄ）各ウェブページの上記最適なキーワードに関連する類語キーワードを取得し、上記データベースに上記類語キーワードを追加する類語キーワード追加部とを備える管理サーバ。
なお、上記インデックス部は、到着ページ指標が所定の値よりも大きいものを優先してリンクするものとすることが好適である。
【００４７】
導入ウェブサイトにある最適なウェブページにウェブサイト訪問者を到着させるための管理サーバのためのプログラムであって、検索用データを内部に備え、かつ／又は外部の検索用データに接続しており、該検索用データは、導入ウェブサイト内のウェブページの到着ページ指標と、ウェブページ毎の最適なキーワードと、上記最適なキーワードを上記ウェブページとを索引付けるリンクデータとを含んでおり、
（ａ）導入ウェブサイトのウェブページを取得するウェブページ取得部として上記管理サーバを機能させ、
（ｂ）上記取得したウェブページを、形態素解析によってウェブページ毎に解析し、キーワードを抽出するページ解析部として上記管理サーバを機能させ、
（ｃ）各ウェブページを最適なキーワードと索引付けし、データベース化を行うインデックス部として上記管理サーバを機能させる、管理サーバのためのプログラム。
【００４８】
導入ウェブサイトにある最適なウェブページにウェブサイト訪問者を到着させるための管理サーバのためのプログラムであって、検索用データを内部に備え、かつ／又は外部の検索用データに接続しており、該検索用データは、導入ウェブサイト内のウェブページの到着ページ指標と、ウェブページ毎の最適なキーワード及びそれに関連する類語キーワードと、上記最適なキーワード及び類語キーワードを上記ウェブページとを索引付けるリンクデータとを含んでおり、
（ａ）導入ウェブサイトのウェブページを取得するウェブページ取得部として上記管理サーバを機能させ、
（ｂ）上記取得したウェブページを、形態素解析によってウェブページ毎に解析し、キーワードを抽出するページ解析部として上記管理サーバを機能させ、
（ｃ）各ウェブページを最適なキーワードと索引付けし、データベース化を行うインデックス部として上記管理サーバを機能させ、
（ｄ）各ウェブページの上記最適なキーワードに関連する類語キーワードを取得し、上記データベースに上記類語キーワードを追加する類語キーワード追加部として上記管理サーバを機能させる、管理サーバのためのプログラム。
【図面の簡単な説明】
【００４９】
【図１】本発明に係る到着ページ最適化システムの一実施の形態について、その概要を説明するシステム図である。
【図２】本発明に係る到着ページ最適化システムの一実施の形態により、本発明に係る到着ページ最適化方法を実施する形態について、その概要を説明するフロー図である。
【符号の説明】
【００５０】
１００      管理サーバ
１０２      パーソナル・コンピュータ
１０４      導入ウェブサイト
１０６      ウェブページ
【図１】
2008130027.tif 000003
【図２】
2008130027.tif 000004